(57)【要約】【課題】少人数で簡単かつ効率よく操業することのできる延縄漁法および延縄用漁撈装置を提供する。【解決手段】ボールローラ４と、延縄用スナップ１０が一端に取着された枝縄１１を整列配置可能な枝縄収納装置６とを設け、延縄用スナップ１０が一端に取着された多数の枝縄１１を枝縄収納装置６に整列配置し、幹縄７の繰り出し時に枝縄収納装置６に配置された枝縄１１の延縄用スナップ１０を人手によって幹縄７に取着し、幹縄７の引き上げ時には漁船１の甲板３の船尾側に配置されたボールローラ４を用いて幹縄７を引き上げる。【選択図】      図１
2004298129.tif 000002
【特許請求の範囲】
【請求項１】
延縄用スナップが一端に取着された枝縄を整列配置し、幹縄の繰り出し時に整列配置された枝縄の延縄用スナップを人手によって幹縄に取着し、幹縄の引き上げ時には漁船の甲板の船尾側に配置されたボールローラを用いて幹縄を引き上げることを特徴とする延縄漁法。
【請求項２】
ボールローラと、延縄用スナップが一端に取着された多数の枝縄を整列配置可能な枝縄収納装置とを有することを特徴とする延縄用漁撈装置。
【発明の詳細な説明】
【０００１】
【発明の属する技術分野】
本発明は、延縄漁法および延縄用漁撈装置の改良に関する。
【０００２】
【従来の技術】
一般に、漁船を利用した漁法には、まき網漁法、トロール漁法、延縄漁法など多種多様の種類があり、従来の漁船は１つの漁法を専門に行なうように製造されていた。すなわち、一隻の漁船で一つの漁法を行なうようにされている。
【０００３】
そして、延縄漁法、例えば沿岸漁場におけるヒラメ、カレイ、ホウボウ、マグロなどの漁獲を行う延縄漁法においては、１本の幹縄に、旗竿ブイと、それぞれ釣針のついた複数の枝縄とを装着し、この幹縄を漁船から漁場の海中へ繰り出すようにされている。
【０００４】
また、このような延縄漁法においては、幹縄を海中へ繰り出したり、あるいは、幹縄を海中から引き上げるに際し、この幹縄に装着すべき枝縄を漁撈装置（漁撈具）の一つである延縄用スナップ（例えば、特許文献１参照）に繋着し、この延縄用スナップを人手により幹縄に着脱させている。
【０００５】
さらにまた、多数の枝縄は、汎用の漁撈装置である丸いカゴ一つに収納されており、操業時には、人手によりカゴから一つ一つ取り出されて幹縄に取着されているのが一般的である。
【０００６】
【特許文献１】
特開平１１−０５６１８４号公報（図１２）
【０００７】
【発明が解決しようとする課題】
しかしながら、従来の延縄漁法においては、漁船に搭載する延縄専用の延縄用漁撈装置、例えば右舷船首側に搭載されるラインホーラーを必要とするとともに、幹縄に対する延縄用スナップが一端に取着されている枝縄の着脱、詳しくは幹縄に対する延縄用スナップの着脱などに人手と労力とを必要とし、近年の乗組員の確保、後継者の育成のために必要な省力化という要求に応えることができないという問題点があった。
【０００８】
すなわち、幹縄の引き上げに用いられるラインホーラーは、船体に対する幹縄の出入りの方向の選択性を有しており、さらに巻き上げ時の状況あるいは船のローリングなどに応じて幹縄に対する角度を調整する必要があり、操業時における操船に経験が必要であるとともに、場合によっては角度調整装置を必要とするという問題点があった。
【０００９】
また、幹縄に装着される枝縄の間隔は、漁場、天候、潮流などの状況により異なるものであり、間隔を狭くし過ぎると天候などの状況により隣接する２本の枝縄がもつれる場合があるし、また、間隔を広くし過ぎると潮流の方向などにより捕獲対象の魚の群れが多数の餌を発見できないおそれがあるため、漁場、天候、潮流などの状況を考慮して選定する必要がある。このため、予め幹縄に枝縄を装着したのでは、枝縄の間隔調整をすることができず、操業時間が限られてしまうことになる。よって、一般的には、操業時に幹縄に対する延縄用スナップの着脱作業を人手により行うことになるが、この幹縄に対する延縄用スナップの着脱作業は、人手と労力とを必要とし、特に冬場での作業は乗組員の負担が大きいという問題点があった。
【００１０】
そこで、少人数で簡単かつ効率よく操業することのできる延縄漁法および延縄用漁撈装置が求められている。
【００１１】
なお、枝縄に取着されている延縄用スナップを幹縄に対して自動的に着脱する延縄用漁撈装置も提案されているが、そのためには、漁船に搭載する延縄用漁撈装置の種類が多くなるという不都合があった。
【００１２】
本発明はこのような問題点に鑑みてなされたもので、簡単かつ効率よく操業することのできる延縄漁法および延縄用漁撈装置を提供することを目的とする。
【００１３】
【課題を解決するための手段】
前述した目的を達成するため特許請求の範囲の請求項１に係る本発明の延縄漁法の特徴は、延縄用スナップが一端に取着された枝縄を整列配置し、幹縄の繰り出し時に整列配置された枝縄の延縄用スナップを人手によって幹縄に取着し、幹縄の引き上げ時には漁船の甲板の船尾側に配置されたボールローラを用いて幹縄を引き上げる点にある。そして、このような構成を採用したことにより、延縄用漁撈装置の種類を少なくできるとともに、幹縄に対する枝縄の取付を効率よく行うことができる。したがって、少人数で簡単かつ効率よく操業することができる。
【００１４】
また、請求項２に係る本発明の延縄用漁撈装置の特徴は、ボールローラと、延縄用スナップが一端に取着された多数の枝縄を整列配置可能な枝縄収納装置とを有する点にある。そして、このような構成を採用したことにより、枝縄収納装置は、枝縄を確実かつ容易に整列配置できるので、幹縄に対する枝縄の取付を効率よく行うことができる。さらに、ボールローラを幹縄の引き上げに用いることで、延縄専用の延縄用漁撈装置の一つであるラインホーラーを搭載する必要が無く、また、ボールローラを用いることでラインホーラーのもつ船体に対する幹縄の出入りの方向の選択性や角度調整が不必要になる。したがって、延縄用スナップが一端に取着された枝縄を整列配置し、幹縄の繰り出し時に整列配置された枝縄の延縄用スナップを人手によって幹縄に取着し、幹縄の引き上げ時には漁船の甲板の船尾側に配置されたボールローラを用いて幹縄を引き上げる延縄漁法を容易に実施することができる。
【００１５】
【発明の実施の形態】
以下、本発明を図面に示す実施形態により説明する。
【００１６】
図１は本発明に係る延縄漁法を実施できる漁船の実施形態の要部を示す平面図、図２は枝縄収納装置の要部を示す斜視図である。
【００１７】
本実施形態の漁船１は、沿岸漁業に用いる５トン程度の小型漁船が用いられており、図１に示すように、漁船１の船体の中央部分から船尾側にかけてブリッジ２が設けられている。そして、船尾側の甲板（漁撈甲板）３上には、既存の漁撈装置である複数種類の漁法における網あるいは縄の引き上げに用いる左右一対の汎用のボールローラ４，５が設置されている。これらのボールローラ４，５のうち、右舷側に配置されるボールローラ４が、従来のラインホーラーのかわりとして用いられる本実施形態における延縄用漁撈装置の一つとされている。また、甲板３の船尾部の左舷側には、延縄用漁撈装置の他の一つとしての枝縄収納装置６が配置されており、この枝縄収納装置６の右舷側には、幹縄７を収納する幹縄箱８が近接配置されている。
【００１８】
本実施形態におけるボールローラ４，５としては、株式会社興洋製：ＨＢ−３５０（揚網力１トン）が用いられている。このボールローラ４，５は、幹縄７の引き上げ時に、幹縄７を挟持可能な一対の空気タイヤ９を有する構成とされている。
【００１９】
本実施形態における枝縄収納装置６は、図２に示すように、甲板３上に着脱可能に配置されるフレーム１５を有している。このフレーム１５は、相互に間隔をおいて鉛直に配置された左右一対の主支柱１６，１７を備えている。そして、図２の左側に示す一方の主支柱１６の図２の右側に示す右側面の下端部には、水平配置された下部接続板１８の左端が接続されており、図２の右側に示す他方の主支柱１７の図２の左側に示す左側面の下端部には、下部接続板１８の右端が接続されている。また、一方の主支柱１６の右側面の上端部近傍には、下部接続板１８の上方に平行に延在する水平配置された針支持板１９の左端が接続されており、他方の主支柱１７の左側面の上端部近傍には、針支持板１９の右端が接続されている。この針支持板１９は、枝縄１１の他端に取着された釣針１２を整列状態で仮止めすることができるようになっている。
【００２０】
前記主支柱１６，１７の図２の前後に示す前後両側面の上端部近傍には、平板状に形成された４つの副支柱２０，２１，２２，２３の上端部がそれぞれ接続されている。これらの副支柱２０，２１，２２，２３の下端部は、主支柱１６から離間する位置に配置されており、主支柱１６，１７の図２の前側に示す前面に接続された２つの副支柱２０，２１の下端部は、下部接続板１８の側方に平行に延在する水平配置された平板状の前接続板２４によって接続されている。また、主支柱１６，１７の図２の後側に示す後面に接続された２つの副支柱２２，２３の下端部は、下部接続板１８の側方に平行に延在する水平配置された平板状の後接続板２５によって接続されている。さらに、針支持板１９の上方には、枝縄１１の一端に取着された延縄用スナップ１０を係止するためのスナップ係止ロープ２６が配置されている。このスナップ係止ロープ２６は、主支柱１６，１７の上端部分に掛け渡されている。
【００２１】
そして、このような構成の枝縄収納装置６には、図２に示すように、延縄用スナップ１０が一端に取着された例えば１００本程度の枝縄１１（一部のみ誇張して図示）が整列配置可能になっている。なお、枝縄収納装置６は、移動自在としても、固定してもどちらでもよい。また、枝縄収納装置６は、漁船１の甲板３に着脱自在としてもよい。
【００２２】
つぎに、前述した構成からなる本実施形態の作用について説明する。
【００２３】
図１は幹縄を繰り出す前の準備状態を示しており、図３は幹縄の引き上げ状態の要部を示す部分拡大平面図である。
【００２４】
本実施形態の漁船１によれば、枝縄収納装置６を有しているので、図２に示すように、延縄用スナップ１０および釣針１２の付いた多数の枝縄１１を整列配置することが簡単かつ容易にできる。これにより、幹縄７の繰り出し時における幹縄７に対する枝縄１１の取付を簡単かつ効率よく行うことができるし、幹縄７から外した枝縄１１を効率よく整然と並べることが効率よく行える。この枝縄収納装置６は、延縄用スナップ１０の自動着脱化にも寄与することが可能である。
【００２５】
また、本実施形態の漁船１によれば、図３に示すように、漁船１に搭載されている汎用のボールローラ４を幹縄７の巻き上げに用いることで、従来の延縄専用の延縄用漁撈装置の一つであるラインホーラーを搭載する必要が無く、また、ボールローラ４を幹縄８の巻き上げに用いることで、ラインホーラーのもつ船体に対する幹縄７の出入りの方向の選択性や角度調整が不必要になるので、操業時における操船および巻き上げ作業を容易にすることができる。このことは、近年の乗組員の確保、後継者の育成を容易なものにできる。
【００２６】
したがって、本実施形態の漁船１によれば、延縄用スナップ１０が一端に取着された枝縄１１を枝縄収納装置６に整列配置し、幹縄７の繰り出し時に枝縄収納装置６に配置された枝縄用スナップ１０を人手によって幹縄７に取着し、幹縄７の揚縄時には漁船１の甲板３の船尾側に配置されたボールローラ４を用いて幹縄７を引き上げることができる。これにより、少人数で簡単かつ効率よく操業する本発明の延縄漁法を容易に実施することができる。
【００２７】
すなわち、延縄漁以外の漁を行う漁船であっても、汎用のボールローラ４が船尾に配置されている船であれば、枝縄収納装置６を搭載するという簡単なことで、延縄漁を容易に実施することができる。この場合、枝縄収納装置６を着脱自在とすることが、延縄漁以外の漁を実施する際のスペースを容易に確保できるという意味で好ましい。
【００２８】
なお、本発明は、前記実施形態に限定されるものではなく、必要に応じて種々変更することができる。
【００２９】
【発明の効果】
以上説明したように請求項１に係る本発明の延縄漁法によれば、少人数で簡単かつ効率よく操業することができるなどの極めて優れた効果を奏する。
【００３０】
また、請求項２に係る本発明の延縄用漁撈装置によれば、本発明の延縄漁法を容易に実施することができるのなどの極めて優れた効果を奏する。
【図面の簡単な説明】
【図１】本発明に係る延縄漁法を実施できる漁船の実施形態の準備状態の要部を示す平面図
【図２】図１の漁船に搭載される枝縄収納装置の要部を示す斜視図
【図３】図１の漁船の幹縄の引き上げ状態の要部を示す部分拡大平面図
【符号の説明】
１  漁船
４、５  ボールローラ
６  枝縄収納装置
７  幹縄
８  幹縄箱
１０  延縄用スナップ
１１  枝縄
１２  釣針
【図１】
2004298129.tif 000003
【図２】
2004298129.tif 000004
【図３】
2004298129.tif 000005